(57)【要約】【課題】本発明は足湯浴、足つぼ押し圧効果によって身体の新陳代謝をよくしながら癒し効果が得られるヒーリングボックスを得るにある。また、本発明は身体の新陳代謝をよくしながら視覚、聴覚、嗅覚によって癒し効果が得られるヒーリングボックスを得ることを目的としている。【解決手段】人が入って座ることができる椅子が備えられた開閉扉を有するボックス本体と、このボックス本体内の椅子に座った人の足が位置する部位の床面に備えた両足を入れることができる収納容器、この収納容器内に収納された医王石、この医王石を熱して遠赤外線を発生させる収納容器内にお湯を循環供給するお湯供給装置とからなる足浴装置とでヒーリングボックスを構成している。【選択図】  図９
2004337479.tif 000002
【特許請求の範囲】
【請求項１】
人が入って座ることができる椅子が備えられた開閉扉を有するボックス本体と、このボックス本体内の椅子に座った人の足が位置する部位の床面に備えた両足を入れることができる収納容器、この収納容器内に収納された医王石、この医王石を熱して遠赤外線を発生させる、前記収納容器内にお湯を循環供給するお湯供給装置とからなる足浴装置とを備えることを特徴とするヒーリングボックス。
【請求項２】
人が入って座ることができる椅子が備えられた開閉扉を有するボックス本体と、このボックス本体内の椅子に座った人の足が位置する部位の床面に備えた両足を入れることができる収納容器、この収納容器内に収納された足裏を押し圧する効果が得られる大きさの医王石と、この医王石を熱して遠赤外線を発生させるヒーターとからなる足つぼ押し圧装置とを備えることを特徴とするヒーリングボックス。
【請求項３】
ボックス本体にはマイナスイオン発生装置、明るさを変えることができる照明装置および音響装置が設けられていることを特徴とする請求項１、２いずれかの記載のヒーリングボックス。
【請求項４】
ボックス本体内の椅子は折りたたみ式のものを用い、該ボックス本体内に車椅子で出入りできるように構成されていることを特徴とする請求項１、２、３いずれかに記載のヒーリングボックス。
【発明の詳細な説明】
【０００１】
【発明の属する技術分野】
本発明は足裏の押し圧効果、足湯浴効果が得られながら癒しを得ることができるヒーリングボックスに関する。
【０００２】
【従来の技術】
従来のヒーリングボックスは人が入って座ることができる椅子が備えられた開閉扉を有するボックス本体と、このボックス本体内に設置されたマイナスイオン発生装置、明るさを変えることができる照明装置および安らぎのαサウンドを出す音響装置とで構成されている。
【０００３】
［特許文献］      特開２００３−１９２０２
【０００４】
【発明が解決しようとする課題】
従来のヒーリングボックスはボックス内の椅子に座って、視覚、聴覚、嗅覚によって癒し効果を得るものであるため、十分な癒し効果が得られないという欠点があった。
【０００５】
本発明は以上のような従来の欠点に鑑み、足湯浴、足つぼ押し圧効果によって身体の新陳代謝をよくしながら癒し効果が得られるヒーリングボックスを提供することを目的としている。
また、本発明は身体の新陳代謝をよくしながら視覚、聴覚、嗅覚によって癒し効果が得られるヒーリングボックスを提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００７】
【課題を解決するための手段】
上記目的を達成するために、本発明は人が入って座ることができる椅子が備えられた開閉扉を有するボックス本体と、このボックス本体内の椅子に座った人の足が位置する部位の床面に備えた両足を入れることができる収納容器、この収納容器内に収納された医王石、この医王石を熱して遠赤外線を発生させる、前記収納容器内にお湯を循環供給するお湯供給装置とからなる足浴装置とでヒーリングボックスを構成している。
【０００８】
【発明の実施の形態】
以下、図面に示す実施の形態により、本発明を詳細に説明する。
【０００９】
図１ないし図９に示す本発明の第１の実施の形態において、１は身体の新陳代謝をよくしながら視覚、聴覚、嗅覚によって癒し効果が得られる本発明のヒーリングボックスで、このヒーリングボックス１は人が入って座ることができる椅子２が備えられた開閉扉３を有するボックス本体４と、このボックス本体４内の椅子２に座った人の足が位置する部位の床面に備えられた足浴装置５と、前記ボックス本体４の側壁４ａに取付けられたダイヤルあるいはスライドスイッチ６によって天井４ｂに取付けられた照明灯７の明るさを変えることができる照明装置８と、前記ボックス本体４内の上部位置に設置された消臭機能付マイナスイオン発生装置９と、前記ボックス本体４内の椅子２の脚部２ａに設置された安らぎのαサウンドを出すコンパクトコンポーネントＭＤシステム装置やＣＤ再生器、ラジカセ等の音響装置１０と、前記椅子２の上部の両側壁４ａ、４ａに取付けられた肘掛け１１、１１とで構成されている。
【００１０】
前記ボックス本体４は木材等を用いて四角形状に形成され、開口部１２には中央部より２つ折りされた開閉扉３が備えられ、底面には移動を容易にできるように四角部に自在キャスター１３、１３、１３、１３と、該キャスター１３、１３、１３、１３の移動を停止させるロック片１５、１５とが設けられている。
【００１１】
前記足浴装置５は前記ボックス本体４内の椅子２に座った人の足が位置する部位の床面４ｃに形成された凹部１６内に嵌め込むことができる中央部に上部室１７と下部室１８に仕切る仕切壁１９を有する収納容器２０と、この収納容器２０の上部室１７内に収納された医王石２１と、この医王石２１を熱して遠赤外線を発生させる前記収納容器２０の下部室１８内に備えられたヒーター２２とポンプ２３とからなる、前記上部室１７内にお湯を循環供給するお湯供給装置２４とで構成されている。
なお、このお湯供給装置２４は上部室１７内に収納された医王石２１をお湯で熱することができ、かつ使用者が安全に使用できるものであれば、どんな構成のものであってもよい。
【００１２】
上記構成のヒーリングボックス１はボックス本体４内に入り、椅子２に座り、両足を足浴装置５のお湯が入った医王石２１上に位置させる足浴により、医王石２１から発生する遠赤外線やお湯に溶出した、図８に示す各種成分によって身体の新陳代謝がよくなるとともに、照明装置８の照明により視覚、音響効果１０の安らぎのαサウンドによる聴覚、消臭機能付マイナスイオン発生装置９からの空気による嗅覚によって癒し効果が得られる。
【００１３】
【発明の異なる実施の形態】
次に、図１０ないし図１８に示す本発明の異なる実施の形態につき説明する。なお、これらの本発明の異なる実施の形態の説明に当って、前記本発明の第１の実施の形態と同一構成部分には同一符号を付して重複する説明を省略する。
【００１４】
図１０ないし図１２に示す本発明の第２の実施の形態において、前記本発明の第１の実施の形態と主に異なる点は、ボックス本体４の床面４ｃの凹部１６に嵌め込むことができる収納容器２０Ａと、この収納容器２０Ａの底面に設けられた電気毛布等で使用されているヒーター２２Ａと、このヒーター２２Ａによって熱せられ遠赤外線を発生する足裏を押し圧する効果が得られる大きさに形成された医王石２１とからなる足つぼ押し圧装置２５を備えた点で、このような足つぼ押し圧装置２５を用いたヒーリングボックス１Ａにしても足の押し圧、加熱効果によって、前記本発明の第１の実施の形態と同様な作用効果が得られる。
【００１５】
図１３ないし図１５に示す本発明の第３の実施の形態において、前記本発明の第１の実施の形態と主に異なる点は、車椅子２６でも内部に入ることができるように前方の横桟２７を回動させることができる底枠２８だけのボックス本体４Ａと、このボックス本体４Ａ内に折りたたみ収納できる椅子２Ａとを備えた点で、このように構成したヒーリングボックス１Ｂにしても、前記本発明の第１の実施の形態と同様な作用効果が得られるとともに、車椅子２６に座ったまま使用することができる。
【００１６】
図１６ないし図１８に示す本発明の第４の実施の形態において、前記本発明の第１の実施の形態と主に異なる点は、八角形状の筒状で、ヒンジ部材２９で開口部１２Ａを開閉する開閉扉３Ａを備えたボックス本体４Ｂを用いた点で、このように形成されたボックス本体４Ｂを用いて構成されたヒーリングボックス１Ｃにしても、前記本発明の第１の実施の形態と同様な作用効果が得られる。
【００１７】
【発明の効果】
以上の説明から明らかなように、本発明にあっては次に列挙する効果が得られる。
【００１８】
（１）人が入って座ることができる椅子が備えられた開閉扉を有するボックス本体と、このボックス本体内の椅子に座った人の足が位置する部位の床面に備えた両足を入れることができる収納容器、この収納容器内に収納された医王石、この医王石を熱して遠赤外線を発生させる、前記収納容器内にお湯を循環供給するお湯供給装置とからなる足浴装置とで構成されているので、足浴装置によって両足を医王石より発生する遠赤外線やお湯に溶出する各種の成分により、身体の新陳代謝がよくなるとともに、ボックス内に入ることにより、外部と遮断され、癒し効果が得られる。
【００１９】
（２）前記（１）によって、足浴装置のお湯供給装置を作動させるだけでよいので、操作が楽で、誰でもが気軽に使用することができる。
【００２０】
（３）前記（１）によって、構造が簡単であるので、容易に製造することができる。
【００２１】
（４）請求項２も前記（１）〜（３）と同様な効果が得られるとともに、足裏の押し圧効果が得られる。
【００２２】
（５）請求項３も前記（１）〜（３）と同様な効果が得られるとともに、より視覚、聴覚、嗅覚からの癒し効果が得られる。
【００２３】
（６）請求項４も前記（１）〜（３）と同様な効果が得られるとともに、車椅子での使用もできる。
【図面の簡単な説明】
【図１】本発明の第１の実施の形態の正面図。
【図２】本発明の第１の実施の形態の側面図。
【図３】本発明の第１の実施の形態の平面図。
【図４】本発明の第１の実施の形態の底面図。
【図５】図１の４−４線に沿う断面図。
【図６】本発明の第１の実施の形態の足浴装置の斜視図。
【図７】図６の７−７線に沿う断面図。
【図８】本発明の第１の実施の形態の医王石と水道水に含まれる成分の説明図。
【図９】本発明の第１の実施の形態の使用状態の説明図。
【図１０】本発明の第２の実施の形態の縦断面図。
【図１１】本発明の第２の実施の形態の足つぼ押し圧装置の斜視図。
【図１２】図１１の１２−１２線に沿う断面図。
【図１３】本発明の第３の実施の形態の正面図。
【図１４】本発明の第３の実施の形態の底面図。
【図１５】図１３の１５−１５線に沿う断面図。
【図１６】本発明の第４の実施の形態の正面図。
【図１７】本発明の第４の実施の形態の平面図。
【図１８】図１６の１８−１８線に沿う断面図。
【符号の説明】
１、１Ａ、１Ｂ、１Ｃ：ヒーリングボックス、
２、２Ａ：椅子、        ３、３Ａ：開閉扉、
４、４Ａ、４Ｂ：ボックス本体、
５：足浴装置、          ６：スイッチ、
７：照明灯、            ８：照明装置、
９：消臭機能付マイナスイオン発生装置、
１０：音響装置、        １１：肘掛け、
１２、１２Ａ：開口部、  １３：キャスター、
１５：ロック片、        １６：凹部、
１７：上部室、          １８：下部室、
１９：仕切壁、          ２０、２０Ａ：収納容器、
２１：医王石、          ２２、２２Ａ：ヒーター、
２３：ポンプ、          ２４：お湯供給装置、
２５：足つぼ押し圧装置、２６：車椅子、
２７：横桟、            ２８：底枠、
２９：ヒンジ部材。
【図１】
2004337479.tif 000003
【図２】
2004337479.tif 000004
【図３】
2004337479.tif 000005
【図４】
2004337479.tif 000006
【図５】
2004337479.tif 000007
【図６】
2004337479.tif 000008
【図７】
2004337479.tif 000009
【図８】
2004337479.tif 000010
【図９】
2004337479.tif 000011
【図１０】
2004337479.tif 000012
【図１１】
2004337479.tif 000013
【図１２】
2004337479.tif 000014
【図１３】
2004337479.tif 000015
【図１４】
2004337479.tif 000016
【図１５】
2004337479.tif 000017
【図１６】
2004337479.tif 000018
【図１７】
2004337479.tif 000019
【図１８】
2004337479.tif 000020